(57)【要約】【課題】エレベータかごの頂部または上方のエリアに、安全かつ便利に、メカニックがアクセスすることを可能にするエレベータかごを提供する【解決手段】乗員及び／または荷物を収容するための内部空間（１２）を定めるエレベータかご（６）は、内部空間の頂部に位置する支持フレーム（２２）と、支持構造体（３１）によって支持フレームに移動可能に取り付けられた作業プラットフォーム（２８）と、を備えている。支持構造体は、互いに旋回可能に接続された２つのシザー脚部（３０ａ、３０ｂ）を含む少なくとも１つのシザー機構（３０）を備えている。各シザー脚部の第１の端部が、支持フレームに旋回可能に接続されており、各シザー脚部の第２の端部が、作業プラットフォームに旋回可能に接続されている。支持構造体は、少なくとも１つのシザー機構のシザー脚部間に延びる少なくとも１つのガススプリング要素（３２）をさらに備えている。【選択図】図５
2020001924.tif 000002
【特許請求の範囲】
【請求項１】
乗員及び／または荷物を収容するための内部空間（１２）を定めるエレベータかご（６）であって、
前記内部空間（１２）の頂部に位置する支持フレーム（２２）と、
作業プラットフォーム（２８）と、
前記作業プラットフォーム（２８）を前記支持フレーム（２２）に移動可能に接続する支持構造体（３１）と、を備え、
前記支持構造体（３１）が、互いに旋回可能に接続された２つのシザー脚部（３０ａ、３０ｂ）を含む少なくとも１つのシザー機構（３０）を備え、各シザー脚部（３０ａ、３０ｂ）の第１の端部が、前記支持フレーム（２２）に旋回可能に接続されており、各シザー脚部（３０ａ、３０ｂ）の第２の端部が、前記作業プラットフォーム（２８）に旋回可能に接続されており、
前記支持構造体（３１）が、前記少なくとも１つのシザー機構（３０）の前記シザー脚部（３０ａ、３０ｂ）間に延びる少なくとも１つのガススプリング要素（３２）をさらに備えている、前記エレベータかご。
【請求項２】
各シザー脚部（３０ａ、３０ｂ）が、前記作業プラットフォーム（２８）の角、及び／または、前記支持フレーム（２２）の角に、それぞれ接続されている、請求項１に記載のエレベータかご（６）。
【請求項３】
各シザー脚部（３０ａ、３０ｂ）が、２つの端部間に中間部分を有し、前記少なくとも１つのシザー機構（３０）の前記２つのシザー脚部（３０ａ、３０ｂ）が、それぞれの中間部分で、互いに旋回可能に接続されている、請求項１または２に記載のエレベータかご（６）。
【請求項４】
前記シザー脚部（３０ａ、３０ｂ）の長さが可変であり、前記シザー脚部（３０ａ、３０ｂ）が特に、伸縮式のシザー脚部（３０ａ、３０ｂ）である、請求項１〜３のいずれかに記載のエレベータかご（６）。
【請求項５】
前記少なくとも１つのガススプリング要素（３２）が、前記シザー脚部（３０ａ、３０ｂ）間に、基本的に水平または垂直に延びている、請求項１〜４のいずれかに記載のエレベータかご（６）。
【請求項６】
前記支持構造体（３１）が、前記作業プラットフォーム（２８）の両側に取り付けられた２つのシザー機構を備えている、請求項１〜５のいずれかに記載のエレベータかご（６）。
【請求項７】
前記シザー機構の各々が、少なくとも１つのガススプリング要素（３２）をそれぞれ備えている、請求項６に記載のエレベータかご（６）。
【請求項８】
前記支持フレーム（２２）と前記作業プラットフォーム（２８）との間に延びる、少なくとも１つのスタビライザ機構（４０）をさらに備えている、請求項１〜７のいずれかに記載のエレベータかご（６）。
【請求項９】
前記少なくとも１つのスタビライザ機構（４０）が、互いに旋回可能に接続された第１のスタビライザ脚部（４０ａ）と第２のスタビライザ脚部（４０ｂ）とを備え、前記第１のスタビライザ脚部（４０ａ）が、前記支持フレーム（２２）に旋回可能に取り付けられており、前記第２のスタビライザ脚部（４０ｂ）が、前記作業プラットフォーム（２８）に旋回可能に取り付けられている、請求項８に記載のエレベータかご（６）。
【請求項１０】
複数のスタビライザ機構（４０）を備え、各スタビライザ機構（４０）が、前記作業プラットフォーム（２８）の角と、前記支持フレーム（２２）の対応する位置との間に延びる、請求項８または９に記載のエレベータかご（６）。
【請求項１１】
スタビライザ機構（４０）が、前記作業プラットフォーム（２８）の各角に取り付けられている、請求項１０に記載のエレベータかご（６）。
【請求項１２】
前記支持構造体（３１）及び／または前記作業プラットフォーム（２８）が、後退位置及び展開位置の少なくとも１つにおいてロック可能である、請求項１〜１１のいずれかに記載のエレベータかご（６）。
【請求項１３】
前記支持フレーム（２２）に旋回可能に取り付けられたカバー要素（２４）をさらに備え、前記カバー要素（２４）が、前記作業プラットフォーム（２８）が後退位置に位置する際に、前記作業プラットフォーム（２８）と前記内部空間（１２）との間に配置可能である、請求項１〜１２のいずれかに記載のエレベータかご（６）。
【請求項１４】
前記カバー要素（２４）が、前記作業プラットフォーム（２８）と前記内部空間（１２）との間に配置された際にロック可能である、請求項１３に記載のエレベータかご（６）。
【請求項１５】
請求項１〜１４のいずれかに記載の少なくとも１つのエレベータかご（６）を備えているエレベータシステム（２）。
【発明の詳細な説明】
【技術分野】
【０００１】
本発明は、可動作業プラットフォームを有するエレベータかごに関し、また、そのようなエレベータかごを備えたエレベータシステムに関する。
【背景技術】
【０００２】
エレベータシステムは、複数の乗場間でエレベータ昇降路に沿って移動する、少なくとも１つのエレベータかごを備えている。修理及び／またはメンテナンスの目的のために、エレベータかごの頂部または上方のエリアにメカニックがアクセスする必要がある場合がある。
【発明の概要】
【発明が解決しようとする課題】
【０００３】
エレベータかごの頂部または上方のエリアに、安全かつ便利に、メカニックがアクセスすることを可能にするエレベータかごを提供することが望ましい。
【課題を解決するための手段】
【０００４】
本発明の例示的実施形態には、乗員及び／または荷物を収容するための内部空間を有するエレベータかごが含まれている。エレベータかごは、内部空間の頂部に配置された支持フレーム、作業プラットフォーム、及び、作業プラットフォームを支持フレームに移動可能に接続する支持構造体を有している。支持構造体は、互いに旋回可能に接続された２つのシザー脚部を含む少なくとも１つのシザー機構を備えている。各シザー脚部の第１の端部は、支持フレームに旋回可能に接続されており、各シザー脚部の第２の端部は、作業プラットフォームに旋回可能に接続されている。支持構造体は、少なくとも１つのシザー機構のシザー脚部間に延びる少なくとも１つのガススプリング要素をさらに備えている。少なくとも１つのガススプリング要素は、特に、作業プラットフォームの移動を支持するために構成されている。
【０００５】
本発明の例示的実施形態は、本発明の例示的実施形態に係る少なくとも１つのエレベータかごを備えたエレベータシステムをさらに含んでいる。
【０００６】
本発明の例示的実施形態によれば、作業プラットフォームは、後退した格納位置と、展開された作業位置との間で、移動可能である。
【０００７】
後退した格納位置に配置された場合、作業プラットフォームと支持構造体とは、支持フレーム内か支持フレームの近くで、エレベータかごの頂部において、折り曲げられた構成で配置され、それにより、エレベータかごの内部空間のスペースのかなりの量を占めないようになっている。
【０００８】
展開された作業位置に配置された場合、作業プラットフォームと支持機構とは、折り曲げられていない構成に配置されている。展開された作業位置では、作業プラットフォームは、エレベータかごの頂部から内部空間に下降され、メカニックが、特にエレベータかごの頂部または上方のエリアにおいて、修理及び／またはメンテナンスの作業を実施するために、作業プラットフォームに降り立つことを可能にする。
【０００９】
本発明の例示的実施形態は、作業プラットフォームを後退した格納位置から展開された作業位置へ、及びその逆に移動することをも含んでいる。
【００１０】
少なくとも１つのシザー機構のシザー脚部間に延びる少なくとも１つのガススプリング要素は、特に、後退した格納位置と展開された作業位置との間で、作業プラットフォームの移動を支持する。
【００１１】
少なくとも１つのガススプリング要素は、特に、作業プラットフォームの重量のいくらかを支え、作業プラットフォームの、後退した格納位置から展開された作業位置への移動を減速させる。換言すると、少なくとも１つのガススプリング要素は、特に、作業プラットフォームが、後退した格納位置から展開された作業位置に落下することを防止する。結果として、作業プラットフォームを移動するメカニックが怪我をするリスクが大きく低減される。
【００１２】
さらに、少なくとも１つのガススプリング要素によって作業プラットフォームの重量のいくらかを支えることにより、メカニックが、作業プラットフォームを、展開された作業位置から後退した格納位置に上昇させることを、より容易かつより便利にしている。
【００１３】
結果として、作業プラットフォームの扱いが向上し、エレベータかごの頂部及び／または上方のエリアへのアクセスが安全かつ便利になる。
【００１４】
複数のさらなるオプションの特徴が、以下に説明される。これら特徴は、特定の実施形態において、単独で、または他の特徴のいずれかと組み合わせて実現される場合がある。
【００１５】
作業プラットフォーム及び／または支持フレームは、複数の角を備えた、多角形形状、特に、矩形形状を有する場合がある。各シザー脚部は、作業プラットフォームの角、及び／または、支持フレームの角に、それぞれ接続されている場合がある。そのような構成により、シザー機構が、有効かつ安全に作業プラットフォームを支持することを可能にする。
【００１６】
各シザー脚部は、その第１の端部と第２の端部との間に中間部分を有している。少なくとも１つのシザー機構の２つのシザー脚部は、それぞれの中間部分に位置する中心ジョイントによって互いに旋回可能に接続されている場合がある。結果として、２つの脚部は、有効なシザー機構を形成する。
【００１７】
シザー脚部の各々の長さは、変更することができる場合がある。シザー脚部は、特に、伸縮式のシザー脚部である場合がある。長さが可変であるシザー脚部は、それぞれ、支持フレームに沿って、及び／または、作業プラットフォームに沿って、脚部の端部を線形的に移動することなく、作業プラットフォームを、展開された作業位置と後退した格納位置との間で移動することを可能にしている。これにより、シザー機構の設計が簡略化され、また、それぞれ、支持フレームに沿って、及び／または、作業プラットフォームに沿って、線形的に移動するシザー脚部によって生じる怪我のリスクが除去される。
【００１８】
少なくとも１つのガススプリング要素は、シザー脚部間で、基本的に水平に延びる場合がある。少なくとも１つのガススプリング要素は、中心ジョイントの上方及び／または下方で、シザー脚部間に延びる場合がある。
【００１９】
代替的構成では、少なくとも１つのガススプリング要素は、中心ジョイントの左側及び／または右側で、シザー脚部間に基本的に垂直に延びる場合がある。
【００２０】
各シザー機構は、基本的に水平及び／または垂直に延びる、２つ以上のガススプリング要素を備えている場合がある。
【００２１】
支持構造体は、作業プラットフォームの両側に取り付けられた２つのシザー機構を備えている場合がある。そのような構成は、作業プラットフォームの、対称で、非常に安定したサポートに繋がる。
【００２２】
２つ以上のシザー機構が提供される場合、各シザー機構は、それぞれ、少なくとも１つのガススプリング要素を備えている場合がある。複数のガススプリング要素を設けることにより、ガススプリング要素によって提供される効果が増大し、作業プラットフォームの移動がさらに容易になる。
【００２３】
エレベータかごは、支持フレームと作業プラットフォームとの間に延びる、少なくとも１つのスタビライザ機構をさらに備えている場合がある。少なくとも１つのスタビライザ機構は、作業プラットフォーム上で作業するメカニックの安全性を増大させるために、特に作業プラットフォームが展開された作業位置に配置されている際に、作業プラットフォームを機械的に安定させるために構成されている場合がある。
【００２４】
有効なスタビライザ機構を形成するために、少なくとも１つのスタビライザ機構は、互いに旋回可能に接続された、第１のスタビライザ脚部と第２のスタビライザ脚部とを備えている場合がある。第１のスタビライザ脚部の第１の端部は、支持フレームに旋回可能に取り付けられている場合があり、第２のスタビライザ脚部の第１の端部は、作業プラットフォームに旋回可能に取り付けられている場合がある。第１のスタビライザ脚部の第２の端部と第２のスタビライザ脚部の第２の端部とは、互いに旋回可能に接続されている場合がある。
【００２５】
作業プラットフォームの安定性をさらに増大させるために、エレベータかごは、複数のスタビライザ機構を備えている場合がある。各スタビライザ機構は、多角形の作業プラットフォームの角と、支持フレームの対応する位置との間にそれぞれ延びている場合がある。具体的には、スタビライザ機構は、多角形の作業プラットフォームの各角に取り付けられている場合がある。
【００２６】
多角形の作業プラットフォームは、特に、４つの角を有する矩形の作業プラットフォームである場合があり、エレベータかごは、４つのスタビライザ機構を備えている場合があり、ここで、１つのスタビライザ機構は、それぞれ作業プラットフォームの４つの角の各々に取り付けられている。
【００２７】
作業プラットフォームは、エレベータかごの頂部エリア（天井）のエリア全体にわたって延びている場合がある。代替的には、作業プラットフォームは、天井の一部分にわたってのみ、延びている場合がある。すなわち、天井は、可動作業プラットフォームの一部ではない、少なくとも１つのさらなる部分を備えている場合がある。天井の少なくとも１つのさらなる部分は、固定されている（移動可能ではない）場合があるか、フラップなど、さらなる可動部品を備えている場合があり、エレベータかごの頂部及び／または上方のさらなる部分へのアクセスを提供する。
【００２８】
エレベータかごは、支持フレームに取り付けられたカバー要素をさらに備えている場合がある。カバー要素は、カバー位置に配置可能である場合がある。このカバー位置では、カバー要素は、作業プラットフォームがその後退した格納位置に配置された際に、作業プラットフォームと内部空間との間に配置され、作業プラットフォームをカバーする。旋回可能に取り付けられたカバー要素は、カバー要素を、そのカバー位置からアクセス位置に移動することにより、作業プラットフォームにアクセスすることを可能にする場合がある。カバー要素は、アクセス位置に配置された際に、基本的に垂直に延びる場合がある。
【００２９】
カバー要素は、特に、支持フレームに旋回可能に取り付けられている場合がある。
【００３０】
カバー要素は、エレベータかごの内部空間を照らすために構成された、少なくとも１つの照明要素を支持するか含む場合がある。少なくとも１つの照明要素をカバー要素に配置することにより、カバー要素を、カバー要素の後ろ側へのアクセスを提供するそのアクセス位置に旋回させることにより、少なくとも１つの照明要素に容易にアクセスすることを可能にする。照明要素は、ＬＥＤ、または複数のＬＥＤの配置を含む場合がある。
【００３１】
カバー要素は、エレベータかごの内部空間の装飾された天井を提供する場合がある。
【００３２】
支持構造体、作業プラットフォーム、及び／またはカバー要素は、許可されていない、及び／または、望ましくない、作業プラットフォームの移動を防止するために、それらの後退位置及び展開位置の少なくとも１つにおいてロック可能である場合がある。支持構造体、作業プラットフォーム、及び／またはカバー要素は、特に、ロックが提供されている場合がある。許可された人員のみが利用可能であるキーが、ロックを解除するために必要である場合がある。
【００３３】
作業プラットフォームを、その後退した格納位置からその展開された作業位置に移動することには、その後退した格納位置と、展開された作業位置との間で、作業プラットフォームを移動することを可能にするために、支持構造体、作業プラットフォーム、及び／またはカバー要素をロック解除することが含まれる場合がある。
【００３４】
作業プラットフォームがその展開された作業位置に戻るように移動した後は、支持構造体、作業プラットフォーム、及び／またはカバー要素は、作業プラットフォームの許可されていない移動を防止するために、ロックされる場合がある。
【００３５】
作業プラットフォームは、格納空間を備えている場合がある。格納空間は、ラダーを収容するために構成されている場合がある。格納空間は、作業プラットフォームの頂部上か、作業プラットフォームの下方部分内に形成されている場合がある。作業プラットフォームの上方か下方にラダーを格納することにより、メカニックが作業プラットフォーム上に、より容易に登ることが可能になる。特に、メカニックが、自身のラダーを持ってくる必要がない。
【００３６】
ラダーは、特に、伸縮式のラダーである場合がある。伸縮式のラダーを採用することにより、比較的長いラダー、特に、エレベータかごのフロアと、その展開された作業位置にある作業プラットフォームとの間の距離に橋を架け、比較的小さい格納スペースに格納されるラダーが許容される。この格納スペースは、作業プラットフォームの寸法によって限定される。
【００３７】
以下では、本発明の例示的実施形態が、添付図面を参照して記載される。
【図面の簡単な説明】
【００３８】
【図１】本発明の例示的実施形態に係るエレベータかごを備えたエレベータシステムを示す概略図である。
【図２】後退した格納位置に配置された作業プラットフォームを備えている、本発明の例示的実施形態に係るエレベータかごの頂部（天井）の斜視図である。
【図３】作業プラットフォームが依然としてその後退した格納位置に配置されており、また、カバー要素がアクセス位置に配置され、作業プラットフォームへのアクセスを許容する、図２に示す天井の部分を示す斜視図である。
【図４】作業プラットフォームが中間位置に配置されている、図２及び図３に示す天井の部分を示す斜視図である。
【図５】作業プラットフォームが、展開された作業位置に配置されている、図２から図４に示す天井の部分を示す斜視図である。
【発明を実施するための形態】
【００３９】
図１は、本発明の例示的実施形態に係るエレベータかご６を備えたエレベータシステム２を示す概略図である。
【００４０】
エレベータシステム２は、異なるフロアに位置する複数の乗場８間で、長手方向に伸びるエレベータ昇降路４を備えている。
【００４１】
エレベータかご６は、エレベータかご６の内部空間１２を定める、フロア１６、天井２０、及び、フロア１６と天井２０との間に伸びる側壁１７を備えている。１つの側壁１７のみが、図１の概略図に示されている。
【００４２】
エレベータかご６は、テンション部材３により、エレベータ昇降路４内で移動可能に懸架されている。テンション部材３、たとえばロープまたはベルトは、ドライブ５に接続されている。ドライブ５は、複数の乗場８間で、エレベータ昇降路４の長手方向／高さに沿って、エレベータかご６を移動するために、テンション部材３を駆動するために構成されている。
【００４３】
各乗場８には、乗場ドア（エレベータ昇降路のドア）１０が設けられており、エレベータかご６には、対応するエレベータかごドア１１が設けられ、エレベータかご６がそれぞれの乗場８に位置した際に、乗員が、乗場８と、エレベータかご６の内部空間１２との間で移動することを可能にする。
【００４４】
図１に示すエレベータシステム２の例示的実施形態は、エレベータかご６を懸架するために、１：１のローピングを採用している。しかし、当業者は、ローピングのタイプが、本発明では本質的ではなく、異なる種類のローピング、たとえば２：１のローピングも、使用され得ることを容易に理解する。
【００４５】
エレベータシステム２は、エレベータかご６に対して同時に、かつ逆方向に移動する、カウンターウェイト（図示せず）をさらに含む場合がある。代替的には、エレベータシステム２は、図１に示すように、カウンターウェイトを伴わないエレベータシステム２である場合がある。ドライブ５は、当該技術で使用される任意の形態のドライブ、たとえば、トラクションドライブ、液圧ドライブ、または線形ドライブである場合がある。エレベータシステム２は、機械室を有する場合があるか、機械室のないエレベータシステムである場合がある。エレベータシステム２は、図１に示すように、テンション部材３を使用する場合があるか、テンション部材３を伴わない、たとえば液圧ドライブまたは線形ドライブ（図示せず）を備えたエレベータシステムである場合がある。
【００４６】
ドライブ５は、エレベータかご６を、エレベータ昇降路４に沿って、異なる乗場８間で移動するために、エレベータコントロール１８によって制御される。
【００４７】
エレベータコントロール１８への入力は、エレベータの乗場ドア１０の近くの各乗場８に設けられている乗場制御パネル７ａを介して、及び／または、エレベータかご６の内部に設けられたかご操作パネル７ｂを介して、提供される場合がある。
【００４８】
乗場制御パネル７ａ及びかご操作パネル７ｂは、図１には示されていない電気ライン、具体的には、電気バス、たとえば、ＣＡＮバスなどのフィールドバスによって、または、無線データ通信により、エレベータコントロール１８に接続されている場合がある。
【００４９】
エレベータかご６の現在の位置を判定するために、エレベータかご６には、位置センサ１９が設けられている。位置センサ１９は、図１に示すように、エレベータかご６の頂部に配置されている場合がある。代替的には、位置センサ１９は、エレベータかご６の側部、または、エレベータかご６の底部、たとえば、フロア１６の下に設けられている場合がある。
【００５０】
図２から図５は、それぞれ、本発明の例示的実施形態に係る、エレベータかご６の天井２０の部分の斜視図を示している。エレベータかご６の内部空間１２内の、遮られていない視野を許容するために、エレベータかご６の側壁１７（図１を参照）は、図２から図５には示されていない。
【００５１】
図２には、作業プラットフォーム２８が、その後退した格納位置に配置されている、本発明の例示的実施形態に係るエレベータかご６の天井２０の部分の斜視図が示されている。
【００５２】
図３は、作業プラットフォーム２８が、その後退した格納位置に依然として配置されている、図２に示す天井２０の部分を示す斜視図である。図３は、アクセス位置に配置され、作業用プラットフォーム２８へのアクセスを許容するカバー要素２４をさらに示している。図２では、カバー要素２４は、作業プラットフォーム２８に対して平行な、そのカバー位置に配置されている。この構成では、カバー要素２４は、作業プラットフォーム２８によってカバーされていることから、視認可能ではない。
【００５３】
図４は、作業プラットフォーム２８が中間位置に配置されている、図２及び図３に示す天井２０の部分を示す斜視図である。
【００５４】
図５は、作業プラットフォーム２８が、展開された作業位置に配置されている、図２から図４に示す天井２０の部分を示す斜視図である。
【００５５】
ほとんどの特徴は、図４及び図５に最適に視認可能であるが、いくつかの特徴は、全体として、または少なくとも部分的に、図２及び図３で他の特徴によってカバーされている。混乱を避けるために、図２及び図３にわずかに視認可能である特徴のいくつかは、図２及び図３においては、参照符号が付されていない。
【００５６】
図２から図５に示す天井２０の部分は、エレベータかご６の頂部全体に基本的にわたって延びる場合がある。代替的には、図２から図５に示す天井２０の部分は、頂部の断片のみをカバーする場合があり、頂部は、図には示されていない、少なくとも１つの追加の部分、特に、固定部分を備えている場合がある。
【００５７】
図２から図５に示す天井２０の部分は、矩形の支持フレーム２２を備えている。この矩形の支持フレーム２２は、４つの水平に延びるバー２２ａから２２ｄを備えている。２つの長手バー２２ａ、２２ｂは、長手方向に延び、２つの横断バー２２ｃ、２２ｄは、長手方向に対して直行する横断方向に延びている。
【００５８】
図２に視認可能ではないカバー要素２４は、支持フレーム２２に旋回可能に取り付けられている。カバー要素２４は、支持フレーム２２によって定められた内部開口と基本的に同じ形状及び寸法を有しており、それにより、カバー要素２４がカバー位置に配置された際に、カバー要素２４が内部開口をカバーするとともに閉じるようになっている。このカバー位置では、カバー要素２４は、水平に、支持フレーム２２に対して平行に向けられている。
【００５９】
カバー要素２４は、エレベータかご６の内部空間１２を照らすために構成された照明要素（図示せず）を支持するか含む場合がある。代替的または追加的に、内部空間１２に面するカバー要素２４の底部側は、エレベータかご６の天井の好ましい外観を提供する装飾的要素として形成される場合がある。
【００６０】
カバー要素２４は、カバー要素２４を、図２に示すようなその水平位置に固定するために、支持フレーム２２における相補的な固定構造（図示せず）と係合するために構成された、フックなどの固定要素２６を備えている場合がある。
【００６１】
カバー要素２４の許可されていない移動を防止するために、固定要素２６は、ロック機構（図示せず）と合わさっている場合がある。ロック機構は、ロック機構のロックを解除した後にのみ、カバー要素２４を、その水平位置から移動するために、固定要素２６を開放することを可能にする場合がある。
【００６２】
固定要素２６が開放された後に、カバー要素２４は、基本的に支持フレーム２２に対して平行に延びるその水平位置から、基本的にエレベータかご６の側壁１７（図１を参照）に対して平行に延びる垂直アクセス位置（図３から図６を参照）に旋回する場合がある。
【００６３】
前述のアクセス位置に配置されている場合、カバー要素２４は、支持フレーム２２に移動可能に取り付けられた作業プラットフォーム２８に、エレベータかご６の内部空間１２からアクセスすることを可能にする。
【００６４】
作業プラットフォーム２８は、少なくとも１つの支持構造体３１により、支持フレーム２２に取り付けられている。図２から図５に示す実施形態では、１つの支持構造体３１が、それぞれ、作業プラットフォーム２８の横方向の側部の各々に設けられている。
【００６５】
各支持構造体３１は、作業プラットフォーム２８と支持フレーム２２との間にそれぞれ斜めに延びる２つのシザー脚部３０ａ、３０ｂを含むシザー機構３０を備えている。
【００６６】
各シザー脚部３０ａ、３０ｂは、上方シザージョイント３６ａ、３６ｂによって支持フレーム２２に旋回可能に接続された第１の端部（上方端部）と、下方シザージョイント３８ａ、３８ｂによって作業プラットフォーム２８に旋回可能に接続された第２の端部（下方端部）とを備えている。
【００６７】
第１のシザー脚部３０ａは、図２から図５の左側に示されている作業プラットフォーム２８の前方部分に取り付けられた下方シザージョイント３８ａと、図２から図５の右側に示されている支持フレーム２２の後方部分に取り付けられた上方シザージョイント３６ａとの間に延びている。同様に、第２のシザー脚部３０ｂは、図２から図５の右側に示されている作業プラットフォーム２８の後方部分に取り付けられた下方シザージョイント３８ｂと、図２から図５の左側に示されている支持フレーム２２の前方部分に取り付けられた上方シザージョイント３６ｂとの間に延びている。
【００６８】
結果として、第１のシザー脚部３０ａと第２のシザー脚部３０ｂとは、第１のシザー脚部３０ａ及び第２のシザー脚部３０ｂの第１の端部と第２の端部との間に位置する中心部分で互いに交差している。交差している中心部分は、中心シザージョイント３４によって互いに旋回可能に接続されている。中心シザージョイント３４は特に、シザー脚部３０ａ、３０ｂそれぞれの第１の端部と第２の端部との間の半分の位置に、それぞれ配置されている。
【００６９】
支持構造体３１は、図２及び図３に示す、後退した格納位置と、図５に示す、展開された作業位置との間で垂直に、作業プラットフォーム２８を移動することを可能にする。作業プラットフォーム２８が移動した際、すなわち、上昇または下降された際に、シザー脚部３０ａ、３０ｂが、上方シザージョイント３６ａ、３６ｂ及び下方シザージョイント３８ａ、３８ｂにおいて、支持フレーム２２及び作業プラットフォーム２８に対してそれぞれ旋回する。各支持構造体３１の２つのシザー脚部３０ａ、３０ｂも、中心シザージョイント３４において、互いに対して旋回する。
【００７０】
シザー脚部３０ａ、３０ｂの各々の長さは、変更することができる。これにより、作業プラットフォーム２８を移動する際に、シザー脚部３０ａ、３０ｂの長さを、上方シザージョイント３８ａと下方シザージョイント３８ｂとの間の変化する距離に調整することが可能になる。
【００７１】
各支持構造体３１は、それぞれのシザー機構３０のシザー脚部３０ａとシザー脚部３０ｂとの間に延びるガススプリング要素３２をさらに備えている。
【００７２】
図２から図５に示す例示的実施形態では、ガススプリング要素３２は、中心シザージョイント３４の上方で、シザー脚部３０ａとシザー脚部３０ｂとの間に基本的に水平に延びている。代替的または追加的に、中心シザージョイント３４の下方で、シザー脚部３０ａとシザー脚部３０ｂとの間に基本的に水平に延びているガススプリング要素３２（図示せず）が、提供される場合がある。図には示されていないが、中心シザージョイント３４の右側及び／または左側で、シザー脚部３０ａとシザー脚部３０ｂとの間に基本的に垂直に延びているガススプリング要素３２も、提供される場合がある。
【００７３】
ガススプリング要素３２は、作業プラットフォーム２８がその後退した格納位置（図２及び図３）からその展開された作業位置（図５）に下降される際に、シザー脚部３０ａ、３０ｂの移動を減衰するために構成されている。ガススプリング要素３２は、作業プラットフォーム２８が展開された作業位置から後退した格納位置に上昇される際に、作業プラットフォーム２８の移動を支持するためにさらに構成されている。
【００７４】
作業プラットフォーム２８の下向きの移動の減衰の結果として、作業プラットフォーム２８を移動するメカニックが怪我をするリスクが大きく低減される。作業プラットフォーム２８の上向きの移動を支持することにより、展開された作業位置から、その後退した格納位置に、作業プラットフォーム２８を上昇させることが容易になる。結果として、作業プラットフォーム２８は、安全かつ便利に移動される場合がある。
【００７５】
特に作業プラットフォーム２８が展開された作業位置に配置されている際に、作業プラットフォーム２８を機械的に安定させるために、エレベータかご６は、支持フレーム２２と作業プラットフォーム２８との間に延びる、少なくとも１つのスタビライザ機構４０をさらに備えている。
【００７６】
図２から図５に示す実施形態では、４つのスタビライザ機構４０が設けられている。具体的には、１つのスタビライザ機構４０が、矩形の形状を有する作業プラットフォーム２８の４つの角の各々に設けられている。
【００７７】
各スタビライザ機構４０は、第１のスタビライザ脚部４０ａ及び第２のスタビライザ脚部４０ｂを備えている。第１のスタビライザ脚部４０ａの各々の第１の（上方の）端部は、上方スタビライザジョイント４１ａにより、支持フレーム２２に旋回可能に取り付けられており、第２のスタビライザ脚部４０ｂの第１の（下方の）端部は、下方スタビライザジョイント４１ｂにより、作業プラットフォーム２８に旋回可能に取り付けられている。
【００７８】
対面している、第１のスタビライザ脚部４０ａ及び第２のスタビライザ脚部４０ｂの対向する第２の端部は、中心スタビライザジョイント４１ｃによって互いに旋回可能に接続されている。
【００７９】
図５に示すように、作業プラットフォーム２８が展開された作業位置に配置されている場合、各スタビライザ機構４０のスタビライザ脚部４０ａ、４０ｂは、実質的に垂直方向に沿って、基本的に同軸的に延びている。結果として、４つのスタビライザ機構４０のスタビライザ脚部４０ａ、４０ｂ、作業プラットフォーム２８、及び支持フレーム２２は、組み合わせて、基本的に矩形のケージを形成している。これにより、展開された作業位置に配置された際に、作業プラットフォーム２８の機械的安定性が増大する。中心スタビライザジョイント４１ｃは、前述のケージの剛性をさらに増大させるために、前述の位置にロック可能である場合がある。
【００８０】
作業プラットフォーム２８が展開された作業位置から後退した格納位置に移動する場合、２つのスタビライザ脚部４０ａ、４０ｂは、互いに対して、支持フレーム２２に対して、かつ、作業プラットフォーム２８に対して、それぞれ旋回する。結果として、スタビライザ機構４０は、シザー機構３１と同様に折れ曲がる。この折れ曲がることにより、作業プラットフォーム２８が後退した格納位置（図２及び図３を参照）に配置された際に、スタビライザ脚部４０ａ、４０ｂが、作業プラットフォーム２８及び支持フレーム２２に対して基本的に平行に向いた状態で、スペースを節約するようにスタビライザ機構４０を格納することが可能になる。
【００８１】
図２から図５に示す例示的構成では、ラダー４２が、作業プラットフォーム２８の上側に設けられている。
【００８２】
ラダー４２は、特に、２つの伸縮式のバー４４ａ、４４ｂを備えた、伸縮式のラダー４２である場合がある。伸縮式のバー４４ａ、４４ｂは、図２から図５に示すように、ラダー４２を作業プラットフォーム２８上に格納することを可能にするために、縮める場合がある。
【００８３】
作業プラットフォーム２８が展開された作業位置（図５）に配置された場合、ラダー４２は、作業プラットフォーム２８の前縁部２９周りに旋回する場合があり、エレベータかご６のフロア１６（図１）と、作業プラットフォーム２８との間の距離に橋を架け、メカニックが作業プラットフォーム２８に容易に登ることを可能にするために、伸縮式のバー４４ａ、４４ｂは、ラダー４２を延長するために、伸ばされる場合がある。
【００８４】
本発明が例示的実施形態を参照して記載されてきたが、当業者には、本発明の範囲を逸脱することなく、様々な変更が行われ得、均等のものが、その要素に関して代替し得ることを理解されたい。さらに、多くの変更が、本開示の基本的な範囲から逸脱することなく、特定の状況または材料を本発明の教示に採用するために、行われ得る。したがって、本発明は、開示の特定の実施形態には限定されないが、本発明が、特許請求の範囲の範囲内にあるすべての実施形態を含むことが意図されている。
【符号の説明】
【００８５】
２  エレベータシステム
３  テンション部材
４  エレベータ昇降路
５  ドライブ
６  エレベータかご
７ａ  乗場制御パネル
７ｂ  かご操作パネル
８  乗場
１０  乗場ドア
１１  エレベータかごドア
１２  内部空間
１６  フロア
１７  側壁
１８  エレベータコントロール
１９  位置センサ
２０  天井
２２  支持フレーム
２２ａ、２２ｂ  支持フレームの長手バー
２２ｃ、２２ｄ  支持フレームの横断バー
２４  カバー要素
２６  固定要素
２８  作業プラットフォーム
２９  作業プラットフォームの前縁部
３０  シザー機構
３０ａ  第１のシザー脚部
３０ｂ  第２のシザー脚部
３１  支持構造体
３２  ガススプリング要素
３４  中心シザージョイント
３６ａ、３６ｂ  上方シザージョイント
３８ａ、３８ｂ  下方シザージョイント
４０  スタビライザ機構
４０ａ  第１のスタビライザ脚部
４０ｂ  第２のスタビライザ脚部
４１ａ  上方スタビライザジョイント
４１ｂ  下方スタビライザジョイント
４１ｃ  中心スタビライザジョイント
４２  ラダー
４４ａ、４４ｂ  伸縮式のバー
【図１】
2020001924.tif 000003
【図２】
2020001924.tif 000004
【図３】
2020001924.tif 000005
【図４】
2020001924.tif 000006
【図５】
2020001924.tif 000007